(57)【要約】【課題】コンパクトタイプの足踏み揺動運動具の提供。【解決手段】左右が複数のローラーで地面に支持される横向きフレームの中央に、軸棒で前後端に横向き揺動可能な円弧形フレームが枢接され、中央軸棒の前後に連接棒が枢接され、各連接棒の別端が牽引片とペダルを具えた左右のペダルフレームに枢接され、左右のペダルフレームの前後端がそれぞれ円弧形フレームの牽引片に枢接され、左右のペダルフレームの牽引片と横向きフレームの間がゴムバンドで接続され、別に円弧形フレームの外端に上向きのグリップ或いはロープが固定され、横向きフレームのローラーにより地面に安定して支持され、使用者の両足でペダルを踏み、両手で左右のグリップ或いはロープ上端を握持し、左右に順番に上下の踏み込みを行うことで、左右のペダルフレームに対応する上下移動を発生させ、これにより、牽引片で円弧形フレームを駆動し軸棒に左右回転移動を発生させ、並びにゴムバンドを引き伸ばし、自動回復の引張り力を発生させる。【選択図】図１
0003171351.tif 000002
【実用新案登録請求の範囲】
【請求項１】
コンパクトタイプの足踏み揺動運動具において、フレーム、円弧形フレーム、ペダルフレーム及びグリップ或いはロープが組み合わされてなり、該フレームは左右が複数のローラーで地面に支持される横向きフレームとされ、該フレームの中央に軸棒が設けられ、該軸棒の前後端に横向き揺動可能な該円弧形フレームが枢接され、該軸棒の前後に連接棒が枢接され、各該連接棒の別端が牽引片とペダルを具えた左右の該ペダルフレームに枢接され、左右の該ペダルフレームの前後端がそれぞれ該円弧形フレームの該牽引片に枢接され、左右の該ペダルフレームの該牽引片と該横向きフレームの間がゴムバンドで接続され、別に該円弧形フレームの外端に上向きのグリップ或いはロープが接続されたことを特徴とする、コンパクトタイプの足踏み揺動運動具。
【請求項２】
請求項１記載のコンパクトタイプの足踏み揺動運動具において、該ゴムバンドは交換或いは数量の増減が可能で、それにより踏込みに対する負荷を変更できることを特徴とする、コンパクトタイプの足踏み揺動運動具。
【考案の詳細な説明】
【技術分野】
【０００１】
本考案は一種のコンパクトタイプの足踏み揺動運動具に係り、左右が複数のローラーで地面に支持される横向きフレームの中央に、軸棒で前後端に横向き揺動可能な円弧形フレームが枢接され、中央軸棒の前後に連接棒が枢接され、各連接棒の別端が牽引片とペダルを具えた左右のペダルフレームに枢接され、左右のペダルフレームの前後端がそれぞれ円弧形フレームの牽引片に枢接され、左右のペダルフレームの牽引片と横向きフレームの間がゴムバンドで接続され、別に円弧形フレームの外端に上向きのグリップ或いはロープが固定され、横向きフレームのローラーにより地面に安定して支持され、使用者の両足でペダルを踏み、両手で左右のグリップ或いはロープ上端を握持し、左右に順番に上下の踏み込みを行うことで、左右のペダルフレームに対応する上下移動を発生させ、これにより、牽引片で円弧形フレームを駆動し軸棒に左右回転移動を発生させ、並びにゴムバンドを引き伸ばし、自動回復の引張り力を発生させ、こうして往復踏み込みによる安定した身体の揺動、バランシングの運動効果を達成し、さらにグリップ或いはロープを簡単スピーディーに着脱して収納体積を減らせ、コンパクトで経済的な実用的考案に関する。
【背景技術】
【０００２】
アンバランスな食生活と運動場所と運動量の欠乏から、人々はますます健康を重視するようになり、このために運動器具が発生した。一般に、現在のペダル式運動具の多くは、身体の揺動、及びバランシングの機能を有しておらず、価格が高いのみならず、体積が膨大でコンパクトでなく、安定度が不良であるため、更なる研究と設計改良の必要がある。
【考案の概要】
【考案が解決しようとする課題】
【０００３】
本考案の主要な目的は、一種のコンパクトタイプの足踏み揺動運動具を提供することにあり、それは、左右が複数のローラーで地面に支持される横向きフレームの中央に、軸棒で前後端に横向き揺動可能な円弧形フレームが枢接され、中央軸棒の前後に連接棒が枢接され、各連接棒の別端が牽引片とペダルを具えた左右のペダルフレームに枢接され、左右のペダルフレームの前後端がそれぞれ円弧形フレームの牽引片に枢接され、左右のペダルフレームの牽引片と横向きフレームの間がゴムバンドで接続され、別に円弧形フレームの外端に上向きのグリップ或いはロープが固定され、横向きフレームのローラーにより地面に安定して支持され、使用者の両足でペダルを踏み、両手で左右のグリップ或いはロープ上端を握持し、左右に順番に上下の踏み込みを行うことで、左右のペダルフレームに対応する上下移動を発生させ、これにより、牽引片で円弧形フレームを駆動し軸棒に左右回転移動を発生させ、並びにゴムバンドを引き伸ばし、自動回復の引張り力を発生させ、こうして往復踏み込みによる安定した身体の揺動、バランシングの運動効果を達成し、さらにグリップ或いはロープを簡単スピーディーに着脱して収納体積を減らせ、コンパクトで経済的な実用的考案であるものとする。
【０００４】
本考案のもう一つの目的は、一種のコンパクトタイプの足踏み揺動運動具を提供することにあり、それは、異なる引張り力のゴムバンドに交換するか或いはゴムバンドの数量を増減することで、異なる踏み込み負荷を発生でき、異なる使用者或いは異なる訓練鍛練要求に対応できる実用的考案であるものとする。
【課題を解決するための手段】
【０００５】
請求項１の考案は、コンパクトタイプの足踏み揺動運動具において、フレーム、円弧形フレーム、ペダルフレーム及びグリップ或いはロープが組み合わされてなり、該フレームは左右が複数のローラーで地面に支持される横向きフレームとされ、該フレームの中央に軸棒が設けられ、該軸棒の前後端に横向き揺動可能な該円弧形フレームが枢接され、該軸棒の前後に連接棒が枢接され、各該連接棒の別端が牽引片とペダルを具えた左右の該ペダルフレームに枢接され、左右の該ペダルフレームの前後端がそれぞれ該円弧形フレームの該牽引片に枢接され、左右の該ペダルフレームの該牽引片と該横向きフレームの間がゴムバンドで接続され、別に該円弧形フレームの外端に上向きのグリップ或いはロープが接続されたことを特徴とする、コンパクトタイプの足踏み揺動運動具としている。
請求項２の考案は、請求項１記載のコンパクトタイプの足踏み揺動運動具において、該ゴムバンドは交換或いは数量の増減が可能で、それにより踏込みに対する負荷を変更できることを特徴とする、コンパクトタイプの足踏み揺動運動具としている。
【考案の効果】
【０００６】
本考案は往復踏み込みによる安定した身体の揺動、バランシングの運動効果を達成し、さらにグリップ或いはロープを簡単スピーディーに着脱して収納体積を減らせ、コンパクトで経済的な実用的考案である。
【図面の簡単な説明】
【０００７】
【図１】本考案の実施例の立体図である。
【図２】本考案の実施例の立体分解図である。
【図３】本考案の実施例の部分立体分解図である。
【図４】本考案の左踏込みの実施例の機構部分正面図である。
【図５】本考案の右踏込みの実施例の機構部分正面図である。
【考案を実施するための形態】
【０００８】
本考案の技術内容、構造特徴、達成する目的を詳細に説明するため、以下に実施例を挙げ並びに図面を組み合わせて説明する。
【０００９】
図１から図５を参照されたい。本考案は、フレーム（１）、円弧形フレーム（２）及びグリップ（４）或いはロープ（５）の組合せにより構成される。そのうち、フレーム（１）は左右が複数のローラー（１０）で平穏に地面上に支持される横向きフレームであり、その中央に設けられた軸棒（１１）で、前後端に横向き揺動可能な円弧形フレーム（２）が接続され、且つ中央の該軸棒（１１）の前後に連接棒（１２）が枢接され、各連接棒（１２）の別端は、牽引片（１３）とペダル（３０）を具えた左右のペダルフレーム（３）に接続され、左右のペダルフレーム（３）の前後端にそれぞれ円弧形フレーム（２）上の牽引片（１３）が枢接され、また、左右のペダルフレーム（３）の牽引片（１３）と横向きのフレーム（１）の間は、ゴムバンド（１４）で相互に接続され、別に揺動する円弧形フレーム（２）の外端に上向きにグリップ（４）或いはロープ（５）が接続される。ゴムバンド（１４）は交換或いは数量増減により、踏み込みに対する異なる負荷を提供する。
【００１０】
実際の操作使用時には、使用者はフレーム（１）の左右のローラー（１０）で全体の製品を地面上に平穏に置くことができ、両足でペダル（３０）上に立ち、両手で左右のグリップ（４）或いはロープ（５）上端を握持し、さらに、左右の足で順に上下に踏み込んで、ペダル（３０）に左右のペダルフレーム（３）を駆動させて対応する上下移動を発生させ、これにより、円弧形フレーム（２）を駆動して軸棒（１１）に左右揺動を発生させ、該円弧形フレーム（２）の上に移動した一端はその側のゴムバンド（１４）を引き伸ばし、踏み込む力が消失するか或いは反対方向の施力がなされた時、該ゴムバンド（１４）が自動的に回復する引張り力を発生し、こうして、往復して踏み込むことで、揺動運動の運動効果を発生できる。
【００１１】
また、スピーディーに簡単にグリップ（４）或いはロープ（５）を取り外して収納体積を減らせ、コンパクトで、経済的な効果を有する。異なる引張り力のゴムバンド（１４）に交換するか、或いはゴムバンド（１４）の数量を増減することで、踏み込みに対する異なる負荷を発生でき、異なる使用者或いは異なる訓練要求に対応できる。
【００１２】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１３】
１  フレーム        ２  円弧形フレーム          ３  ペダルフレーム
４  グリップ        ５  ロープ                  １０  ローラー
１１  軸棒          １２  連接棒                １３  牽引片
１４  ゴムバンド    ３０  ペダル
【図１】
0003171351.tif 000003
【図２】
0003171351.tif 000004
【図３】
0003171351.tif 000005
【図４】
0003171351.tif 000006
【図５】
0003171351.tif 000007